(57)【要約】【課題】ユーザに煩わしさを与えることなく、緊急度の高い異常状態に対する処置を確実に行なうことができる自動監視システムを提供する。【解決手段】自動監視システム１００は、住宅２内に配置され、住宅２内で生じ得るさまざまな異常状態の発生を検出し、インターネット網５０を介して、携帯端末８０や固定電話機８２などへ当該異常状態の発生を通知可能に構成される。そして、主制御装置６は、発生したと判断された異常状態の緊急度レベルに基づいて、音声および文字メッセージの一方を選択した上で、当該選択した方法によって当該異常状態の通知内容を通知する。【選択図】図１
2008140141.tif 000002
【特許請求の範囲】
【請求項１】
宅内に形成された宅内ネットワークと、
前記宅内ネットワークに接続されるとともに、広域ネットワークを介して宅外の相手先との間でデータ伝送を可能に構成された制御部と、
前記宅内における監視対象の変化を検知し、前記宅内ネットワークを介して検知情報を前記制御部へ伝送可能に構成されたセンサ部と、
前記宅内で発生し得る異常状態に対して所定の処置を実行するための処置部とを備え、
前記制御部は、
前記センサ部から伝送される前記検知情報の少なくとも１つを含む条件式によって規定される異常状態に対応付けて、予め、緊急度レベル、通知内容および処置内容を格納する第１記憶手段と、
前記緊急度レベルに対応付けて、予め、電話番号およびメールアドレスのうち少なくとも１つを含む通知先を格納する第２記憶手段と、
通知内容を音声化した音声データを生成するための音声データ生成手段と、
インターネットプロトコルに従って、前記宅外の相手先との間で通話を行なうための通話手段と、
通知内容を示す文字データを含む文字メッセージを生成するためのメッセージ生成手段と、
前記インターネットプロトコルに従って、前記宅外の相手先に対して前記文字メッセージを送信するためのメール送信手段と、
前記センサ部から伝送される前記検知情報に応答して、前記第１記憶手段に格納された前記条件式のうち成立する条件式に対応する異常状態の緊急度レベル、通知内容および処置内容を抽出する第１抽出手段と、
少なくとも前記第１抽出手段によって抽出された通知内容を発生時刻とともに格納する第３記憶手段と、
前記第１抽出手段によって抽出された処置内容に応じた処置を実行するために、対応の前記処置部に指示を与える処置実行手段と、
前記第１抽出手段によって抽出された緊急度レベルに基づいて、前記第２記憶手段から対応の通知先を抽出する第２抽出手段と、
前記第２抽出手段によって抽出される通知先が電話番号およびメールアドレスのいずれで特定されているかを判断する判断手段と、
前記判断手段において前記通知先が電話番号で特定されているときに、前記第１抽出手段によって抽出された通知内容を前記音声データ生成手段へ与えるとともに、前記通話手段を用いて当該通知内容を音声によって前記通知先に通知する第１通知手段と、
前記判断手段において前記通知先がメールアドレスで特定されているときに、前記第１抽出手段によって抽出された通知内容を前記メッセージ生成手段へ与えるとともに、前記メール送信手段を用いて当該通知内容を文字メッセージによって前記通知先に通知する第２通知手段とを含む、自動監視システム。
【請求項２】
宅内に形成された宅内ネットワークと、
前記宅内ネットワークに接続されるとともに、広域ネットワークを介して宅外の相手先との間でデータ伝送を可能に構成された制御部と、
前記宅内における監視対象の変化を検知し、前記宅内ネットワークを介して検知情報を前記制御部へ伝送可能に構成されたセンサ部とを備え、
前記制御部は、
所定のプロトコルに従って、前記宅外の相手先との間で通話を行なうための通話手段と、
前記所定のプロトコルに従って、前記宅外の相手先に対して視認可能な情報を送信するための情報送信手段と、
前記検知情報に基づいて、前記宅内で発生した異常状態を判断する判断手段と、
前記判断手段において発生したと判断された異常状態の緊急度レベルに基づいて、第１または第２識別情報で特定された通知先を決定する決定手段と、
前記決定手段において決定された通知先が前記第１識別情報で特定されているときに、前記通話手段を用いて、前記判断手段において発生したと判断された異常状態の通知内容を音声によって当該通知先に通知する第１通知手段と、
前記決定手段において決定された通知先が前記第２識別情報で特定されているときに、前記情報送信手段を用いて、前記判断手段において発生したと判断された異常状態の通知内容を前記視認可能な情報によって当該通知先に通知する第２通知手段とを含む、自動監視システム。
【請求項３】
前記視認可能な情報は、前記通知内容の文字データを含む文字メッセージである、請求項２に記載の自動監視システム。
【請求項４】
前記判断手段は、前記センサ部から伝送される前記検知情報の少なくとも１つを含む条件式に従って、前記宅内で発生した異常状態を判断する、請求項２または３に記載の自動監視システム。
【請求項５】
前記決定手段は、異常状態に対応付けて緊急度レベルおよび通知内容が予め規定された第１データベースを参照して発生した異常状態の緊急度レベルを抽出するとともに、当該抽出した緊急度レベルに基づいて、前記緊急度レベルに対応付けて通知先が予め規定された第２データベースを参照することで、通知先を決定する、請求項２〜４のいずれか１項に記載の自動監視システム。
【請求項６】
前記自動監視システムは、前記宅内で発生し得る異常状態に対して所定の処置を実行するための処置部をさらに備え、
前記制御部は、前記判断手段において発生したと判断された異常状態に対応付けられた処置を、前記処置部に実行させるための処置実行手段をさらに含む、請求項２〜５のいずれか１項に記載の自動監視システム。
【請求項７】
前記制御部は、前記判断手段において発生したと判断された異常状態に係る情報をその発生時刻とともに格納する履歴格納手段をさらに含む、請求項２〜６のいずれか１項に記載の自動監視システム。
【請求項８】
前記所定のプロトコルは、インターネットプロトコルを含む、請求項２〜７のいずれか１項に記載の自動監視システム。
【請求項９】
前記決定手段は、前記緊急度レベルが高くなるにつれて、前記第２通知手段に比較して前記第１通知手段を優先的に用いて通知が行なわれるように、前記通知先に決定する、請求項２〜８のいずれか１項に記載の自動監視システム。
【発明の詳細な説明】
【技術分野】
【０００１】
この発明は宅内を監視する自動監視システムに関し、特に緊急度レベルに基づいて、音声またはメッセージを適切に選択して通知可能な自動監視システムに関する。
【背景技術】
【０００２】
近年、住宅内のテレビやエアコンなどの家電機器をネットワークを介して互いに接続し、各家電機器の制御や管理などを実現するホームネットワーク技術が提案されている。このようなホームネットワーク技術を用いると、住宅内にあるさまざまな機器を用いたさまざまなシステムを実現することができる。
【０００３】
このようなシステムの一例として、住宅内の状況を遠隔で監視可能な自動監視システムなどが提案されている。たとえば、特開２００４−３２６２２１号公報（特許文献１）には、異常状態に応じて適切な動作状態に移行できる家電機器ネットワークシステムなどが開示されている。この家電機器ネットワークシステムでは、発生した緊急事態の種別を示すコードを記録した緊急電文を作成したブロードキャスト送信する緊急電文送信手段を有する家電機器と、受信した緊急電文に記録した緊急事態の種別コードに対応する対策を行なう緊急事態対策手段を有する家電機器とを備える。
【０００４】
また、特開２００１−２９７３８４号公報（特許文献２）には、セキュリティ会社に依存することなく、感知した異常事態に応じて、利用者が予め登録した通報先の中から感知した異常事態に対応する通報先を選択して緊急メッセージをそれらの通報先に通報するホームセキュリティシステムなどが開示されている。このホームセキュリティシステムは、感知手段から出力される信号を受信した場合に、受信した信号に対応する感知手段により感知された異常事態に応じて、登録手段に予め登録されている通報先の一つまたは二つ以上を選択し、該選択した通報先が応答しない場合には、別の通報先を選択し、応答があった通報先に異常事態に対応する緊急メッセージを送信するように構成される。
【特許文献１】特開２００４−３２６２２１号公報
【特許文献２】特開２００１−２９７３８４号公報
【発明の開示】
【発明が解決しようとする課題】
【０００５】
上述の特開２００１−２９７３８４号公報（特許文献２）に開示されるホームセキュリティシステムでは、予め設定された複数の通報先に対して、いずれかの通報先が応答するまで順次、緊急メッセージの送信が試みられる。しかしながら、感知される異常状態には、緊急度の高いものから低いものまでが存在する。そのため、すべての異常状態に応答して、一律に通報先に緊急メッセージを送信した場合には、緊急度の低い異常状態の送信が頻繁して発生することで、ユーザが緊急度の高い異常状態の発生を見逃すおそれもあった。
【０００６】
また、緊急度の低い異常状態については、ユーザがその発生を事後的に確認するだけで済む場合も多いのに対して、緊急度の高い異常状態については、ユーザがその発生に対して何らかの処置を即座に行なうべき場合も多い。そのため、緊急度に関わらず、一律に同一の方法によって緊急メッセージが送信されてしまうと、ユーザに煩わしさを与えるとともに、緊急度の高い異常状態に対する処置が遅れるおそれがあった。
【０００７】
そこで、この発明は、かかる問題を解決するためになされたものであり、その目的は、ユーザに煩わしさを与えることなく、緊急度の高い異常状態に対する処置を確実に行なうことができる自動監視システムを提供することである。
【課題を解決するための手段】
【０００８】
この発明のある局面に従う自動監視システムは、宅内に形成された宅内ネットワークと、宅内ネットワークに接続されるとともに、広域ネットワークを介して宅外の相手先との間でデータ伝送を可能に構成された制御部と、宅内における監視対象の変化を検知し、宅内ネットワークを介して検知情報を制御部へ伝送可能に構成されたセンサ部と、宅内で発生し得る異常状態に対して所定の処置を実行するための処置部とを備える。そして、制御部は、センサ部から伝送される検知情報の少なくとも１つを含む条件式によって規定される異常状態に対応付けて、予め、緊急度レベル、通知内容および処置内容を格納する第１記憶手段と、緊急度レベルに対応付けて、予め、電話番号およびメールアドレスのうち少なくとも１つを含む通知先を格納する第２記憶手段と、通知内容を音声化した音声データを生成するための音声データ生成手段と、インターネットプロトコルに従って、宅外の相手先との間で通話を行なうための通話手段と、通知内容を示す文字データを含む文字メッセージを生成するためのメッセージ生成手段と、インターネットプロトコルに従って、宅外の相手先に対して文字メッセージを送信するためのメール送信手段と、センサ部から伝送される検知情報に応答して、第１記憶手段に格納された条件式のうち成立する条件式に対応する異常状態の緊急度レベル、通知内容および処置内容を抽出する第１抽出手段と、少なくとも第１抽出手段によって抽出された通知内容を発生時刻とともに格納する第３記憶手段と、第１抽出手段によって抽出された処置内容に応じた処置を実行するために、対応の処置部に指示を与える処置実行手段と、第１抽出手段によって抽出された緊急度レベルに基づいて、第２記憶手段から対応の通知先を抽出する第２抽出手段と、第２抽出手段によって抽出される通知先が電話番号およびメールアドレスのいずれで特定されているかを判断する判断手段と、判断手段において通知先が電話番号で特定されているときに、第１抽出手段によって抽出された通知内容を音声データ生成手段へ与えるとともに、通話手段を用いて当該通知内容を音声によって通知先に通知する第１通知手段と、判断手段において通知先がメールアドレスで特定されているときに、第１抽出手段によって抽出された通知内容をメッセージ生成手段へ与えるとともに、メール送信手段を用いて当該通知内容を文字メッセージによって通知先に通知する第２通知手段とを含む。
【０００９】
この発明の別の局面に従う自動監視システムは、宅内に形成された宅内ネットワークと、宅内ネットワークに接続されるとともに、広域ネットワークを介して宅外の相手先との間でデータ伝送を可能に構成された制御部と、宅内における監視対象の変化を検知し、宅内ネットワークを介して検知情報を制御部へ伝送可能に構成されたセンサ部とを備える。そして、制御部は、所定のプロトコルに従って、宅外の相手先との間で通話を行なうための通話手段と、所定のプロトコルに従って、宅外の相手先に対して視認可能な情報を送信するための情報送信手段と、検知情報に基づいて、宅内で発生した異常状態を判断する判断手段と、判断手段において発生したと判断された異常状態の緊急度レベルに基づいて、第１または第２識別情報で特定された通知先を決定する決定手段と、決定手段において決定された通知先が第１識別情報で特定されているときに、通話手段を用いて、判断手段において発生したと判断された異常状態の通知内容を音声によって当該通知先に通知する第１通知手段と、決定手段において決定された通知先が第２識別情報で特定されているときに、情報送信手段を用いて、判断手段において発生したと判断された異常状態の通知内容を視認可能な情報によって当該通知先に通知する第２通知手段とを含む。
【００１０】
この局面に従う自動監視システムによれば、発生したと判断された異常状態の緊急度レベルに基づいて、音声および視認可能な情報の一方が選択された上で、当該選択された方法によって当該異常状態の通知内容が通知される。これにより、同じ方法（たとえば、音声）で一律に通知を行なう構成に比較して、よりメリハリをつけた異常状態の通知が可能となる。よって、ユーザに煩わしさを与えることなく、ユーザが緊急度の高い異常状態に対する処置を確実に実行できる。
【００１１】
好ましくは、視認可能な情報は、通知内容の文字データを含む文字メッセージである。
好ましくは、判断手段は、センサ部から伝送される検知情報の少なくとも１つを含む条件式に従って、宅内で発生した異常状態を判断する。
【００１２】
好ましくは、決定手段は、異常状態に対応付けて緊急度レベルおよび通知内容が予め規定された第１データベースを参照して発生した異常状態の緊急度レベルを抽出するとともに、当該抽出した緊急度レベルに基づいて、緊急度レベルに対応付けて通知先が予め規定された第２データベースを参照することで、通知先を決定する。
【００１３】
好ましくは、この局面に従う自動監視システムは、宅内で発生し得る異常状態に対して所定の処置を実行するための処置部をさらに備え、制御部は、判断手段において発生したと判断された異常状態に対応付けられた処置を、処置部に実行させるための処置実行手段をさらに含む。
【００１４】
好ましくは、制御部は、判断手段において発生したと判断された異常状態に係る情報をその発生時刻とともに格納する履歴格納手段をさらに含む。
【００１５】
好ましくは、所定のプロトコルは、インターネットプロトコルを含む。
好ましくは、決定手段は、緊急度レベルが高くなるにつれて、第２通知手段に比較して第１通知手段を優先的に用いて通知が行なわれるように、通知先に決定する。
【発明の効果】
【００１６】
この発明によれば、ユーザに煩わしさを与えることなく、緊急度の高い異常状態に対する処置を確実に行なうことができる自動監視システムを実現できる。
【発明を実施するための最良の形態】
【００１７】
この発明の実施の形態について、図面を参照しながら詳細に説明する。なお、図中の同一または相当部分については、同一符号を付してその説明は繰返さない。
【００１８】
図１は、この発明の実施の形態に従う自動監視システム１００の概略構成図である。
図１を参照して、この発明の実施の形態に従う自動監視システム１００は、住宅２内に配置され、住宅２内で生じ得るさまざまな異常状態の発生を検出し、インターネット網５０を介して、携帯端末８０や固定電話機８２、もしくは図示しないＩＰ電話機などへ当該異常状態の発生を通知可能に構成される。より具体的には、自動監視システム１００は、ホームネットワーク４と、主制御装置６と、ゲートウェイ（ＧＷ）８と、温度センサ２０と、監視カメラ２２と、ジャイロセンサ２４と、スプリンクラー２６と、開閉バルブ２８と、水供給管２７と、ハードディスクレコーダ（ＨＤＲ）３２と、テレビ３０と、エアコン３４と、ガスメータ３６と、煙センサ３８とを備える。
【００１９】
ホームネットワーク４は、住宅２内に形成され、自動監視システム１００を構成する機器間のデータ伝送を媒介する。
【００２０】
主制御装置６は、自動監視システム１００における全体動作を制御するための装置であり、ホームネットワーク４を介して各機器からの検知情報を取得するとともに、住宅２内で異常状態が発生したと判断すると、インターネット網５０を介して住宅２の外部に存在する通知先に当該異常状態に対応する通知内容を通知する。なお、主制御装置６における処理の詳細な内容は後述する。
【００２１】
ゲートウェイ８は、ホームネットワーク４とインターネット網５０との間に接続され、両ネットワーク間のプロトコルを相互に変換する。より具体的には、ゲートウェイ８は、主として主制御装置６から送出されるデータパケットをそのヘッダ情報などに基づいて、インターネット網５０上の所定の宛先に送出するとともに、インターネット網５０を介して受信したデータパケットを主制御装置６へ送出する。
【００２２】
温度センサ２０は、住宅２内のしかるべき場所、たとえば天井部分に配置され、住宅２内の温度を検出し、当該検出した温度を含む検出情報を、ホームネットワーク４を介して主制御装置６へ伝送する。すなわち、温度センサ２０は、住宅２内の温度を監視対象とするセンサ部である。
【００２３】
監視カメラ２２は、たとえば、住宅２の玄関部分や窓部分などに配置され、住宅２に出入りする人物などを撮影する。さらに、監視カメラ２２は、画像処理技術を用いて人物の動きなどを検知する機能を有してもよく、人物の動きなどを検知すると、当該検知情報をホームネットワーク４を介して主制御装置６へ伝送する。すなわち、監視カメラ２２は、住宅２内の人物の動きなどを監視対象とするセンサ部である。
【００２４】
ジャイロセンサ２４は、主として、地震などによって生じる住宅２の揺れを検知し、当該検知情報をホームネットワーク４を介して主制御装置６へ伝送する。すなわち、ジャイロセンサ２４は、住宅２の揺れを監視対象とするセンサ部である。
【００２５】
煙センサ３８は、たとえば、住宅２の天井部分に配置され、煙が所定の状態まで発生しているか否かを検出し、当該煙発生状態を含む検出情報を、ホームネットワーク４を介して主制御装置６へ伝送する。すなわち、温度センサ２０は、住宅２内の煙発生状態を監視対象とするセンサ部である。
【００２６】
スプリンクラー２６は、住宅２の天井部分などに配置され、住宅２内で火災が発生した際に、消火のために水供給管２７を介して供給される水を散布する装置である。水供給管２７には、スプリンクラー２６までの供給経路の途中に開閉バルブ２８が設けられており、開閉バルブ２８の開動作により、水の散布が開始される。開閉バルブ２８は、ホームネットワーク４と接続され、主制御装置６からの指示に応じて開動作または閉動作を実行可能に構成される。すなわち、開閉バルブ２８は、消火を行なうための処置部である。
【００２７】
エアコン３４は、住宅２内を所定の設定温度に調整する空調装置であり、主制御装置６からホームネットワーク４を介して伝送される指示に応答して、作動ならびに停止、および設定温度の変更などが可能に構成される。すなわち、エアコン３４は、住宅２内の温度調節を行なうための処置部である。
【００２８】
ガスメータ３６は、ガス会社から供給されるガス、もしくは住宅２に近接して配置されたガスボンベに充填されたガスを住宅２内に導入する際にガス流量を積算する装置である。本実施例では、ガスメータ３６は、さらにホームネットワーク４と接続され、主制御装置６からの指示に応じて、住宅２へのガス供給を遮断する機能を有する。すなわち、ガスメータ３６は、住宅２へのガス供給の遮断を行なうための処置部である。
【００２９】
ハードディスクレコーダ３２は、ハードディスクを内蔵し、当該ハードディスクに映像情報などを格納し、もしくは当該格納した映像情報の再生が可能な録画再生装置である。そして、ハードディスクレコーダ３２は、ホームネットワーク４に接続され、主制御装置６からの指示に応答して、予め格納していた映像情報をテレビ３０へ出力したり、監視カメラ２２によって撮影された映像をホームネットワーク４を介して取得して録画したりする。また、ハードディスクレコーダ３２は、主制御装置６からの指示に応答して、テレビ３０の電源をオンまたはオフにすることが可能に構成される。
【００３０】
テレビ３０は、ハードディスクレコーダ３２と接続され、上述したように、電源のオンまたはオフを制御されるとともに、ハードディスクレコーダ３２が再生する映像情報に基づく映像をその画面に表示する。
【００３１】
次に、自動監視システム１００とインターネット網５０を介して接続される通知先の構成について説明する。
【００３２】
インターネット網５０内では、いわゆるＯＳＩ（Open  Systems  Interconnection）モデルにおけるネットワーク層として、共通のインターネットプロトコル（ＩＰ：Internet  Protocol）に従ってデータパケットが伝送される。このようなデータパケットは、ＯＳＩモデルにおいてより上位のアプリケーション層が適宜選択されることで、さまざまなアプリケーションに利用される。このようなアプリケーションの一例として、電子メールの送受信やＶｏＩＰ（Voice  over  Internet  Protocol）技術を用いたＩＰ電話などがある。
【００３３】
そこで、本実施例では、異常状態の発生を視認可能な情報または音声を用いて通知先に通知する。より具体的には、視認可能な情報とは、一例として、通知内容の文字データを含む文字メッセージであり、当該文字メッセージは電子メールにより伝送される。また、ＩＰ電話を用いて、通知内容を発声する音声が伝送される。
【００３４】
そして、インターネット網５０には、インターネット網５０を介してＩＰ電話機同士の通信制御を実行するＳＩＰ（Session  Initiation  Protocol）サーバ５２が接続される。ＳＩＰサーバ５２は、発信元のＩＰ電話機に入力された電話番号に対応付けられたＩＰアドレスなどに基づいて、発信先のＩＰ電話機との間でセッションを確立する。
【００３５】
さらに、インターネット網５０には、ＩＰ電話機と従来の電話機との間の通話を可能にする電話局６０および７０が接続される。
【００３６】
電話局６０は、インターネット網５０に接続されたＩＰ電話機と、携帯電話もしくは携帯情報端末（ＰＤＡ：Personal  Digital  Assistants）との間の通話もしくはデータ送受信を実現する。なお、携帯電話もしくは携帯情報端末を含む概念として「携帯端末８０」と称す。そして、電話局６０は、交換機６４およびゲートウェイ６２を含む。交換機６４は、通信対象の携帯端末８０をそのエリア内に含む中継アンテナ６６に対応する交換機６８と選択的に接続され、データ（音声または文字データ）の授受を行なう。ゲートウェイ６２は、インターネット網５０を介して伝送されるデータパケットと、交換機６４によって取扱われる信号とを相互に変換する。より詳細には、ゲートウェイ６２は、インターネット網５０を介して受信するデータパケットのうち、電子メールに係るデータパケットはその文字データを交換機６４へ出力するとともに、ＩＰ電話に係るデータパケットは音声信号に変換して交換機６４へ出力する。このように、ゲートウェイ６２は、インターネット網５０を流れるデータパケットの種類に応じた変換処理を行なう。
【００３７】
また、電話局７０は、インターネット網５０に接続されたＩＰ電話機と、固定電話機８２（もしくはファクシミリ）との間の通話を実現する。そして、電話局７０は、交換機７４およびゲートウェイ７２を含む。交換機７４は、通信対象の固定電話機８２に対応する交換機７８と選択的に接続され、音声の送受信を行なう。ゲートウェイ７２は、インターネット網５０を介して伝送されるＩＰ電話に係るデータパケットと、交換機７４によって取扱われる音声信号とを相互に変換する。
【００３８】
以上のような構成によって、自動監視システム１００は、インターネット網５０を介して、住宅２の外部に存在するＩＰ電話機、携帯端末８０および固定電話機８２との間で通話もしくはメール送信が可能である。
【００３９】
（主制御装置の構成）
図２は、この発明の実施の形態に従う主制御装置６の概略構成図である。
【００４０】
図２を参照して、主制御装置６は、一例としてパーソナルコンピュータによって実現される。より具体的には、主制御装置６は、ＣＰＵ（Central  Processing  Unit）６０２と、通信インターフェイス（通信ＩＦ）６０４と、モニタ６０６と、キーボード６０８と、マウス６１０と、ハードディスク（ＨＤＤ）６１２と、ＲＡＭ（Random  Access  Memory）６１４と、ＣＤ−ＲＯＭ駆動装置６１６とからなる。
【００４１】
ＣＰＵ６０２は、ハードディスク６１２などに格納されたプログラムを読出し、当該プログラムに従って処理を実行する演算部である。通信インターフェイス６０４は、ホームネットワーク４（図１）と電気的に接続され、ホームネットワーク４内のデータ送受信を実行する。モニタ６０６は、ＣＰＵ６０２における演算処理の結果などを表示するための表示部であり、一例として液晶ディスプレイなどからなる。キーボード６０８およびマウス６１０は、ユーザが主制御装置６に対して指示や設定などを与えるためのインターフェイスである。ハードディスク６１２は、ＣＤ−ＲＯＭ駆動装置６１６によって記憶媒体であるＣＤ−ＲＯＭ６１８から読取られたプログラムなどを格納するとともに、ＣＰＵ６０２からのアクセス要求に応答して、格納するデータの読出しまたは新たなデータの格納などを行なう。ＲＡＭ６１４は、ＣＰＵ６１４が演算処理を実行する際のワークメモリなどとして機能し、演算処理で使用されるデータを一時的に格納し、または格納したデータを読出す。ＣＤ−ＲＯＭ駆動装置６１６は、ＣＤ−ＲＯＭ６１８に格納されたデータを光学的に読出し、ハードディスク６１２などへ転送する。
【００４２】
（主制御装置のＣＰＵにおける制御構造）
図３は、この発明の実施の形態に従う主制御装置６のＣＰＵ６０２における制御構造である。なお、図３に示すＣＰＵ６０２における制御構造は、ＣＰＵ６０２がプログラムを実行することで実現されるが、各ブロックに相当する電子回路によって実現してもよい。
【００４３】
図３を参照して、主制御装置６のＣＰＵ６０２における制御構造は、イベント検出部６０２１と、監視制御部６０２２と、処置実行部６０２３と、音声データ生成部６０２４と、ＩＰ電話部６０２５と、メッセージ生成部６０２６と、メール送信部６０２７と、ログ格納部６０２８と、時計部６０２９とを含む。また、ハードディスク６１２には、異常状態データベース６１２ａと、通知先データベース６１２ｂと、ログデータベース６１２ｃが格納される。
【００４４】
イベント検出部６０２１は、通信インターフェイス６０４を介して、ホームネットワーク４（図１）に接続された、温度センサ２０、監視カメラ２２、ジャイロセンサ２４、および煙センサ３８の各々から検知情報を受信するか否かを監視し、何らかの検知情報が受信されると、監視制御部６０２２に対して処理開始のイベントを発生する。
【００４５】
監視制御部６０２２は、イベント検出部６０２１が発生したイベントに応答して、ハードディスク６１２に格納される異常状態データベース６１２ａを参照して、異常状態の発生の有無を判断する。
【００４６】
図４は、異常状態データベース６１２ａのデータ構造を模式的に示す図である。
図４を参照して、異常状態データベース６１２ａは、条件式フィールド６１２１と、緊急度フィールド６１２２と、通知内容フィールド６１２３と、処置内容フィールド６１２４とからなる。
【００４７】
そして、条件式フィールド６１２１には、各センサから伝送される検知情報の少なくとも１つを含む条件式によって異常状態が規定される。これらの条件式は、ユーザが任意に設定可能に構成される。
【００４８】
図４では、温度センサ２０が２段階で高温を検出する場合の例を示す。すなわち、温度センサ２０によって検出される温度が第１温度（たとえば、４０℃）を超えた場合に検出情報として「Ｈ」が送出され、第２温度（たとえば、６０℃）を超えた場合に検出情報として「ＨＨ」が送出される。また、煙センサ３８は、煙発生を検出すると「Ｈ」を送出する。そして、図４に示す条件式フィールド６１２１の第１欄には、温度センサ２０から「ＨＨ」の検出情報を受信し、かつ煙センサ３８から「Ｈ」を受信した場合に成立する条件式が規定される。この条件式は、住宅２で火災が発生していると判断するためのものである。さらに、条件式フィールド６１２１に規定される条件式の各々に対応付けて、緊急度レベル、通知内容、および処置内容がそれぞれ緊急度フィールド６１２２、通知内容フィールド６１２３、および処置内容フィールド６１２４に規定される。すなわち、図４の第１欄には、住宅２での火災発生という異常状態に対応付けて、緊急度レベルとして「Ｆ」、通知内容として「火災発生」、処置内容として「スプリンクラー『ＯＮ』」が規定される。
【００４９】
なお、上記のように温度センサ２０および煙センサ３８からの検出情報を用いた条件式を採用することで、火災発生といった深刻な異常状態についての誤判断を回避することができる。ここで、図４に示す条件式フィールド６１２１の第２欄には、温度センサ２０から「ＨＨ」の検出情報を受信し、かつ煙センサ３８から「Ｈ」を受信していない（すなわち「Ｌ」を維持している）場合に成立する条件式が規定される。この条件式は、住宅２の温度が上昇していると判断するためのものであり、火災発生とは判断しない。すなわち、温度センサ２０から「ＨＨ」の検出情報を受信した場合であっても、煙センサ３８からの検出情報に応じて、「火災」または「温度上昇」に判断が分かれることになる。したがって、きめ細かい条件式を規定することで、より的確に異常状態の発生を判断できる。
【００５０】
再度、図３を参照して、監視制御部６０２２は、伝送される検知情報に応答して、異常状態データベース６１２ａに規定された条件式（図４の条件式フィールド６１２１）のうち成立する条件式に対応する異常状態の緊急度レベル（図４の緊急度フィールド６１２２）、通知内容（図４の通知内容フィールド６１２３）および処置内容（図４の処置内容フィールド６１２４）を抽出する。そして、監視制御部６０２２は、抽出した緊急度レベルに基づいて、通知先データベース６１２ｂから対応の通知先を抽出する。
【００５１】
図５は、通知先データベース６１２ｂのデータ構造を模式的に示す図である。
図５を参照して、通知先データベース６１２ｂは、緊急度フィールド６１２６と、通知先フィールド６１２７とからなる。
【００５２】
緊急度フィールド６１２６は、図４に示す緊急度フィールド６１２２の値と関連付けられた、いわゆるリレーショナルデータベースを構成する。すなわち、緊急度フィールド６１２６に規定される「Ａ」〜「Ｆ」は、図４に示す緊急度フィールド６１２２に入力可能な値のリストとなっている。そして、通知先フィールド６１２７には、緊急度フィールド６１２６に対応付けて、通知先を特定するための識別情報である、電話番号およびメールアドレスのうち少なくとも１つが規定される。
【００５３】
なお、本実施例では、一例として、緊急度レベルを以下のような６段階に規定する。
緊急度レベル「Ａ」では、後述するように、発生した異常状態の履歴（ログ）の格納のみが行なわれ、通知先への通知は行なわれない。
【００５４】
緊急度レベル「Ｂ」では、発生した異常状態の内容が電子メールによって１回だけ通知先に通知される。
【００５５】
緊急度レベル「Ｃ」では、発生した異常状態の内容が電子メールによってリアルタイムで通知先に通知される。
【００５６】
緊急度レベル「Ｄ」では、発生した異常状態の内容が電話によって通知先に通知される。もし、通知先からの応答がない場合には、電子メールによって１回だけ当該通知先に通知される。
【００５７】
緊急度レベル「Ｅ」では、発生した異常状態の内容が電話によって通知先に通知される。もし、通知先からの応答がない場合には、電話によって別の通知先に通知される。予め複数の通知先が規定されることで、通知先からの応答がない場合には、通知先を順次変更して通知を試みる。
【００５８】
緊急度レベル「Ｆ」では、火災や侵入者などの特定の異常状態が発生した場合において、消防署や警察署などの社会的に定められた通知先にその内容が通知される。
【００５９】
このような緊急度のレベル分けに応じて、緊急度レベル「Ａ」に対応する通知先フィールド６１２７の第１欄への通知先の入力は無効となる。また、緊急度レベル「Ｂ」および「Ｃ」に対応する通知先フィールド６１２７の第２欄および第３欄には、一例として「mobile@home」なるメールアドレスが規定される。また、緊急度レベル「Ｄ」に対応する通知先フィールド６１２７には、第１通知先として「○○−○○○○−○○○○」なる電話番号が規定され、応答がなかった場合の第２通知先として「mobile@home」なるメールアドレスが規定される。また、緊急度レベル「Ｄ」に対応する通知先フィールド６１２７の第５欄には、第１通知先として「○○−○○○○−○○○○」なる電話番号が規定され、応答がなかった場合の第２通知先として「△△−△△△△−△△△△」なる電話番号が規定され、さらに応答がなかった場合の第３通知先として「●●−●●●●−●●●●」なる電話番号が規定される。また、緊急度レベル「Ｆ」に対応する通知先フィールド６１２７の第６欄には、社会的に定められた「１１０」もしくは「１１９」が規定される。
【００６０】
以上のように、監視制御部６０２２は、抽出した緊急度レベルに基づいて、通知先データベース６１２ｂから対応の通知先を抽出する。
【００６１】
再度、図３を参照して、監視制御部６０２２は、通知先データベース６１２ｂから抽出した通知先が電話番号およびメールアドレスのいずれで特定されているかを判断する。そして、監視制御部６０２２は、抽出した通知先が電話番号で特定されている場合には、異常状態データベース６１２ａから抽出した通知内容を音声データ生成部６０２４へ与える。同時に、監視制御部６０２２は、通知先データベース６１２ｂから抽出した通知先の電話番号をＩＰ電話部６０２５へ与える。
【００６２】
音声データ生成部６０２４は、監視制御部６０２２から与えられる通知内容を音声化した音声データを生成し、当該生成した音声データをＩＰ電話部６０２５へ出力する。なお、音声データの生成には、公知の音声合成技術を用いることができる。
【００６３】
ＩＰ電話部６０２５は、インターネットプロトコル（ＩＰ）に従って、住宅２の外部に存在する相手先との間で通話を行なう。具体的には、ＩＰ電話部６０２５は、音声データ生成部６０２４から与えられる音声データをインターネットプロトコルに従うＶｏＩＰ技術を用いてデータパケット化するとともに、監視制御部６０２２から与えられる電話番号に対応する通知先の宛先アドレス（ＩＰアドレスなど）に向けて当該データパケットを送出する。また、ＩＰ電話部６０２５は、通知先の応答によって生じる音声信号（もしくはトーン信号）を受けて、所定の応答信号を監視制御部６０２２へ出力する。
【００６４】
一方、抽出した通知先がメールアドレスで特定されている場合には、監視制御部６０２２は、異常状態データベース６１２ａから抽出した通知内容および通知先データベース６１２ｂから抽出した通知先のメールアドレスをメッセージ生成部６０２６へ与える。同時に、監視制御部６０２２は、メール送信部６０２７へメール送信指示を与える。
【００６５】
メッセージ生成部６０２６は、監視制御部６０２２から与えられる通知内容を示す文字データを含む文字メッセージを生成し、当該生成した文字メッセージをメール送信部６０２７へ出力する。当該文字メッセージには、監視制御部６０２２から与えられるメールアドレスがヘッダとして組込まれ、電子メールとして送信可能な形式に成形される。
【００６６】
メール送信部６０２７は、インターネットプロトコル（ＩＰ）に従って、住宅２の外部に存在する相手先に対して文字メッセージを送信する。
【００６７】
なお、上述したＩＰ電話部６０２５による通話、およびメール送信部６０２７による電子メールの送信に伴うデータパケットは、いずれもゲートウェイ８（図１）を介してインターネット網５０に送出され、インターネット網５０内で順次転送されて、宛先まで届けられる。
【００６８】
上述の異常状態の通知機能に加えて、監視制御部６０２２は、異常状態データベース６１２ａから異常状態の通知内容を抽出すると、当該通知内容をログ格納部６０２８へ与える。監視制御部６０２２から通知内容を与えられると、ログ格納部６０２８は、時計部６０２９から現在時刻を取得し、当該時刻（発生時刻）とともに、当該通知内容をハードディスク６１２内のログデータベース６１２ｃに格納する。なお、監視制御部６０２２は、異常状態の緊急度レベルがいずれであっても、その通知内容をログ格納部６０２８へ与える。なお、異常状態の通知内容に限らず、同時に、その緊急度レベルおよび通知先などもログデータベース６１２ｃに格納するようにしてもよい。
【００６９】
（ログ収集機能）
さらに、監視制御部６０２２は、上述したＩＰ電話もしくは電子メールによる通知先への通知を行なった履歴や、ＩＰ電話を用いた通知において、通知先から応答があった履歴などをログ格納部６０２８へ与える。ログ格納部６０２８は、監視制御部６０２２から与えられる情報をログデータベース６１２ｃに順次格納する。
【００７０】
図６は、ログデータベース６１２ｃに格納される履歴データの一例を示す図である。
図６を参照して、ログデータベース６１２ｃは、時刻フィールド６１２８と、ログ内容フィールド６１２９とからなる。
【００７１】
時刻フィールド６１２８には、ログ格納部６０２８が監視制御部６０２２から履歴データを受信した時刻が格納され、ログ内容フィールド６１２９には、当該履歴データが格納される。
【００７２】
図６に示す例では、まず、時刻「１４：００」に温度センサ２０から検出情報として「Ｈ」が送出されたとすると、監視制御部６０２２は、図４に示す異常状態データベース６１２ａから、温度センサ２０の「Ｈ」に対応する異常状態の通知内容「温度上昇」を抽出し、ログ格納部６０２８に与える。すると、ログ格納部６０２８は、その通知内容をその発生時刻である時刻「１４：００」とともに、ログデータベース６１２ｃに格納する。なお、図６では、緊急度についても併せてログ格納部６０２８に格納する構成について例示する。
【００７３】
その後、時刻「１４：１５」に温度センサ２０から検出情報として「ＨＨ」が送出されたとすると、監視制御部６０２２は、図４に示す異常状態データベース６１２ａから、温度センサ２０の「ＨＨ」に対応する異常状態の通知内容「温度異常」を抽出し、ログ格納部６０２８に与える。なお、煙センサ３８は「Ｌ」のままとする。すると、ログ格納部６０２８は、その通知内容をその発生時刻である時刻「１４：１５」とともに、ログデータベース６１２ｃに格納する。
【００７４】
同時に、監視制御部６０２２は、通知先（図５に示す「○○−○○○○−○○○○」）に通知内容を通知する。このとき、監視制御部６０２は、この通知動作の実行を示す内容についてもログ格納部６０２８に与える。すると、ログ格納部６０２８は、その内容を通知動作の実行時刻である時刻「１４：１６」とともに、ログデータベース６１２ｃに格納する。
【００７５】
さらに、通知先に着信して通知内容が確認された上、通知先からの応答があった場合には、監視制御部６０２２は、この応答を示す内容についてもログ格納部６０２８に与える。すると、ログ格納部６０２８は、その内容をその応答時刻である時刻「１４：１７」とともに、ログデータベース６１２ｃに格納する。なお、通知内容の応答は、通知先のユーザが電話機の操作（たとえば、「＃」ボタンの押圧など）によって実現される。
【００７６】
以上のように、ログ格納部６０２８には、異常状態の発生、通報動作、および通報応答などが発生順に格納される。
【００７７】
（処置実行機能）
さらに、監視制御部６０２２は、上述した通知先への通知とともに、予め処置内容が規定されている異常状態に対しては、当該処置を実行する。
【００７８】
再度、図１および図４を参照して、一例として、温度センサ２０から「ＨＨ」が送出され、かつ煙センサ３８から「Ｈ」が送出されると、住宅２の「火災発生」と判断される。すると、「火災発生」に対応する処置内容である「スプリンクラー『ＯＮ』」に従って、監視制御部６０２２は、開閉バルブ２８に開動作を指示する。この指示に応答して、スプリンクラー２６は、開状態となり、スプリンクラー２６から水の散布が開始される。このようにして、住宅２の火災発生に対する処置（消火）が実行される。さらに、図４には、住宅２における「温度異常」に対して、エアコン３４の作動開始（第２欄）、「地震発生」に対して、ガスメータ３６によるガス供給の遮断（第３欄）などが規定されている。
【００７９】
他の処置内容の例として、監視制御部６０２２は、住宅２への不法侵入者を検知すると、監視カメラ２２で住宅２内の映像を撮影し、当該撮影映像をハードディスクレコーダ３２に格納させる。また、不法侵入者に対して、ハードディスクレコーダ３２に予め格納されていた威嚇映像または威嚇音声などをテレビ３０上に表示などしてもよい。さらに、降雨を検知して、洗濯物が濡れないように、物干し竿などを住宅２の屋根下などに移動させるように構成してもよい。
【００８０】
（処理フロー）
図７は、この発明の実施の形態に従う主制御装置６の処理手順を示すフローチャートである。なお、以下の処理は、ＣＰＵ６０２によって実行される。
【００８１】
図７を参照して、ＣＰＵ６０２は、センサなどからの検知情報を受信したか否かを判断する（ステップＳ１００）。検知情報を受信していない場合（ステップＳ１００においてＮＯの場合）には、ＣＰＵ６は、再度、検知情報を受信したか否かを判断する（ステップＳ１００）。
【００８２】
一方、検知情報を受信した場合（ステップＳ１００においてＹＥＳの場合）には、ＣＰＵ６は、ハードディスク６１２に格納されている異常状態データベース６１２ａを参照して、受信した検知情報に基づいて、異常状態を規定する条件式のうち成立するものが存在するか否かを判断する（ステップＳ１０２）。成立する条件式が存在する場合（ステップＳ１０２においてＹＥＳの場合）には、ＣＰＵ６０２は、当該成立する条件式に対応する緊急度レベル、通知内容および処置内容を抽出する（ステップＳ１０４）。なお、成立する条件式が複数存在する場合には、成立する条件式の数に相当する回数だけ、ステップＳ１０４の処理を繰返し実行する。
【００８３】
一方、成立する条件式が存在しない場合（ステップＳ１０２においてＮＯの場合）には、ＣＰＵ６０２は、本フローチャートの最初の処理に戻る。
【００８４】
そして、ＣＰＵ６０２は、抽出した通知内容を発生時刻とともに、ハードディスク６１２のログデータベース６１２ｃに格納する（ステップＳ１０６）。また、ＣＰＵ６０２は、抽出した処置内容に有効な内容が規定されているか否かを判断する（ステップＳ１０８）。有効な内容が規定されている場合（ステップＳ１０８においてＹＥＳの場合）には、ＣＰＵ６０２は、当該処置内容に応じた処置の実行を対象装置へ指示する（ステップＳ１１０）。なお、有効な内容が規定されていない場合（ステップＳ１０８においてＮＯの場合）には、ＣＰＵ６０２は、処置の実行指示を省略する。
【００８５】
続いて、ＣＰＵ６０２は、抽出した緊急度レベルに基づいて、ハードディスク６１２に格納されている通知先データベース６１２ｂから、通知先を抽出する（ステップＳ１１２）。そして、ＣＰＵ６０２は、抽出した通知先が電話番号およびメールアドレスのいずれで特定されているかを判断する（ステップＳ１１４）。
【００８６】
通知先が電話番号で特定されている場合（ステップＳ１１４において「電話番号」の場合）には、ＣＰＵ６０２は、抽出した通知内容を音声化した音声データを生成する（ステップＳ１１６）。そして、ＣＰＵ６０２は、通知先の電話番号に向けて通話発信して、通知内容に応じた音声を伝送する（ステップＳ１１８）。
【００８７】
そして、ＣＰＵ６０２は、通知先からの応答があるか否かを判断する（ステップＳ１２０）。上述したように、通知先からの応答とは、通知先のユーザによる返答、具体的には「＃」ボタンの押圧といった電話機の操作によって実現される。
【００８８】
通知先からの応答がない場合（ステップＳ１２０においてＮＯの場合）には、ＣＰＵ６０２は、通知先データベース６１２ｂから次の通知先を抽出し（ステップＳ１２２）、ステップＳ１１４以下の処理を再度実行する。
【００８９】
通知先からの応答がある場合（ステップＳ１２０においてＹＥＳの場合）には、ＣＰＵ６０２は、一連の処理を完了し、本フローチャートの最初の処理に戻る。
【００９０】
一方、通知先がメールアドレスで特定されている場合（ステップＳ１１４において「メールアドレス」の場合）には、ＣＰＵ６０２は、抽出した通知内容を示す文字データおよびメールアドレスを含む文字メッセージを生成する（ステップＳ１２４）。そして、ＣＰＵ６０２は、通知先のメールアドレスに向けて生成した文字メッセージを伝送し（ステップＳ１２６）、本フローチャートの最初の処理に戻る。
【００９１】
（自動監視システム自体の状態監視）
上述した自動監視システム１００は、住宅２内の異常状態の発生を監視するものであるが、自動監視システム１００自体の健全性を監視することがより好ましい。すなわち、特に主制御装置６のシステムダウンなどにより、自動監視システム１００の機能が停止してしまう可能性がある。そこで、主制御装置６とインターネット網５０を介して接続された他の装置との間で定期的な通信を行なうことで、主制御装置６のシステムダウンを監視することができる。本実施例では、一例として、図１に示すＳＩＰサーバ５２が主制御装置６の状態監視を行なう。
【００９２】
図８は、自動監視システム１００自体の状態監視に係るシーケンス図である。
図８を参照して、主制御装置６とＳＩＰサーバ５２との間で「ヘルシー要求」および「ヘルシー応答」の送受信が定周期で繰返される。すなわち、ＳＩＰサーバ５２が「ヘルシー要求」を主制御装置６へ送信する（ＳＱ１０）と、主制御装置６が健全であれば、「ヘルシー応答」がＳＩＰサーバ５２へ返信される（ＳＱ１２）。なお、ＳＩＰサーバ５２からの「ヘルシー要求」の送信は、所定の周期（たとえば、５分間隔）で実行される。
【００９３】
一方、主制御装置６にシステムダウンなどが発生すると、ＳＩＰサーバ５２からの「ヘルシー要求」の送信（ＳＱ１４）に対して、「ヘルシー応答」が返信されないので、ＳＩＰサーバ５２は、主制御装置６が異常状態であると判断できる。そして、ＳＩＰサーバ５２は、予め定められた通知先に主制御装置６における異常状態の発生を通知する（ＳＱ１６）。
【００９４】
なお、ＳＩＰサーバ５２は、ＩＰ電話機用の交換機であるので、音声による通知が可能であるとともに、付加的に電子メール送信機能を容易に付加できるので、電子メールによる通知も可能である。
【００９５】
この発明の実施の形態では、ホームネットワーク４が「宅内ネットワーク」に相当し、主制御装置６が「制御部」に相当し、温度センサ２０、監視カメラ２２、ジャイロセンサ２４、および煙センサ３８が「センサ部」に相当し、スプリンクラー２６、エアコン３４およびガスメータ３６が「処置部」に相当し、異常状態データベース６１２ａが「第１記憶手段」に相当し、通知先データベース６１２ｂが「第２記憶手段」に相当し、ログデータベース６１２ｃが「第３記憶手段」に相当し、音声データ生成部６０２４が「音声データ生成手段」に相当し、ＩＰ電話部６０２５が「通話手段」に相当し、メッセージ生成部６０２６が「メッセージ生成手段」に相当し、メール送信部６０２７が「メール送信手段」に相当し、監視制御部６０２２が「第１抽出手段」、「第２抽出手段」、「判断手段」、「第１通知手段」、「第２通知手段」に相当し、処置実行部６０２３が「処置実行手段」に相当する。
【００９６】
この発明の実施の形態によれば、発生したと判断された異常状態の緊急度レベルに基づいて、音声および文字メッセージの一方が選択された上で、当該選択された方法によって当該異常状態の通知内容が通知される。これにより、同じ方法（たとえば、音声）で一律に通知を行なう構成に比較して、よりメリハリをつけた異常状態の通知が可能となる。よって、ユーザに煩わしさを与えることなく、ユーザが緊急度の高い異常状態に対する処置を確実に実行できる。
【００９７】
また、この発明の実施の形態によれば、緊急度レベルを６段階に区分するとともに、同一の緊急度レベルにおいても、通知先からの応答の有無に応じて、音声による通知から文字データによる通知に切換え可能に構成される。これにより、通知先のユーザが応答することができない状況であっても、当該ユーザに確実に知らせることができる。
【００９８】
なお、上述したこの発明の実施の形態では、視認可能な情報の一例として、文字メッセージを用いる構成について例示したがこれに限られることはない。すなわち、ユーザが視認できる情報であればいずれの形式のデータを用いてもよく、たとえば動画、静止画およびアニメーションなどでもよい。
【００９９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１００】
【図１】この発明の実施の形態に従う自動監視システムの概略構成図である。
【図２】この発明の実施の形態に従う主制御装置の概略構成図である。
【図３】この発明の実施の形態に従う主制御装置のＣＰＵにおける制御構造である。
【図４】異常状態データベースのデータ構造を模式的に示す図である。
【図５】通知先データベースのデータ構造を模式的に示す図である。
【図６】ログデータベースに格納される履歴データの一例を示す図である。
【図７】この発明の実施の形態に従う主制御装置の処理手順を示すフローチャートである。
【図８】自動監視システム自体の状態監視に係るシーケンス図である。
【符号の説明】
【０１０１】
２  住宅、４  ホームネットワーク、６  主制御装置、８，６２，７２  ゲートウェイ、２０  温度センサ、２２  監視カメラ、２４  ジャイロセンサ、２６  スプリンクラー、２７  水供給管、２８  開閉バルブ、３０  テレビ、３２  ハードディスクレコーダ（ＨＤＲ）、３４  エアコン、３６  ガスメータ、３８  煙センサ、５０  インターネット網、５２  ＳＩＰサーバ、６０，７０  電話局、６４，６８，７４，７８  交換機、６６  中継アンテナ、８０  携帯端末、８２  固定電話機、１００  自動監視システム、６０２  監視制御部、６０４  通信インターフェイス（通信ＩＦ）、６０６  モニタ、６０８  キーボード、６１０  マウス、６１２  ハードディスク（ＨＤＤ）、６１２ａ  異常状態データベース、６１２ｂ  通知先データベース、６１２ｃ  ログデータベース、６１４  ＲＡＭ、６１６  ＣＤ−ＲＯＭ駆動装置、６０２１  イベント検出部、６０２２  監視制御部、６０２３  処置実行部、６０２４  音声データ生成部、６０２５  ＩＰ電話部、６０２６  メッセージ生成部、６０２７  メール送信部、６０２８  ログ格納部、６０２９  時計部、６１２１  条件式フィールド、６１２２  緊急度フィールド、６１２３  通知内容フィールド、６１２４  処置内容フィールド、６１２６  緊急度フィールド、６１２７  通知先フィールド、６１２８  時刻フィールド、６１２９  ログ内容フィールド。
【図１】
2008140141.tif 000003
【図２】
2008140141.tif 000004
【図３】
2008140141.tif 000005
【図４】
2008140141.tif 000006
【図５】
2008140141.tif 000007
【図６】
2008140141.tif 000008
【図７】
2008140141.tif 000009
【図８】
2008140141.tif 000010